(57)【特許請求の範囲】
【請求項１】
被加熱物を加熱する加熱部と、前記加熱部の運転に関する情報を表示画面に表示する表示部とが設けられ、
前記加熱部として、天板の上部に載置される被加熱物を加熱する天板側加熱部と、前記天板の下方に設けた加熱室に収納された被加熱物を加熱する加熱室側加熱部とのうち少なくとも前記天板側加熱部が備えられたコンロであって、
前記加熱部に対して設定する調理メニューが、主単位部分と付加単位部分とを文字にて表す形態に設定され、
前記表示部を制御する表示制御部が、
前記表示画面において区画形成した調理メニュー用表示領域に、前記調理メニューを表示し、かつ、前記調理メニューが前記調理メニュー用表示領域に収まらない場合には、前記主単位部分を固定表示した状態で、前記付加単位部分を文字並び方向に移動させる形態で前記調理メニューをスクロール表示するように構成され、
前記加熱部の運転を制御する加熱制御部が、前記表示部に表示されている前記調理メニューが選択されると、当該選択された調理メニューに応じた加熱条件で加熱調理を実行するように構成されているコンロ。
【請求項２】
前記主単位部分が、調理基本形態を表し、前記付加単位部分が、前記調理基本形態に付加するオプション形態を表すものである請求項１記載のコンロ。
【請求項３】
前記主単位部分が、調理用の基本材料を表し、前記付加単位部分が、調理形態を表すものである請求項１記載のコンロ。
【請求項４】
前記表示制御部が、前記調理メニュー用表示領域に収まらない前記調理メニューについて、前記主単位部分の全体を表示し且つ前記付加単位部分の一部を表示する初期表示状態とする形態で、前記調理メニューの複数を並列させて表示し、かつ、並列表示する複数の前記調理メニューのうちの一つが選択されたときに、選択された当該調理メニューが前記調理メニュー用表示領域に収まらない場合には、文字並び方向に移動させる形態で前記調理メニューをスクロール表示するように構成されている請求項１〜３のいずれか１項に記載のコンロ。
【請求項５】
前記表示制御部が、選択された前記調理メニューをスクロール表示しているときに、別の前記調理メニューが選択された場合には、スクロール表示している前記調理メニューを前記初期表示状態で表示するように構成されている請求項４記載のコンロ。
【請求項６】
前記表示制御部が、前記調理メニューをスクロール表示するスクロール速度を、速度変更指令に基づいて変更するように構成されている請求項１〜５のいずれか１項に記載のコンロ。
【請求項７】
前記表示部が、前記天板の手前側箇所に設けられている請求項１〜６のいずれか１項に記載のコンロ。 
【発明の詳細な説明】
【技術分野】
【０００１】
本発明は、被加熱物を加熱する加熱部と、前記加熱部の運転に関する情報を表示画面に表示する表示部とを備えたコンロに関する。
【背景技術】
【０００２】
かかるコンロは、天板側加熱部を用いて、例えば、湯沸しや炊飯等の加熱調理を行いながら、加熱室にて、例えば、魚の加熱調理やハンバーグステーキの加熱調理等、種々の調理メニューに対する加熱調理を行えるものである。
ちなみに、コンロとしては、天板側加熱部としてガスバーナを設け且つ加熱室側加熱部としてガスバーナを設けたガス燃焼式のコンロ、いわゆるガスコンロとして構成される場合と、天板側加熱部として誘導加熱式ヒータを設け且つ加熱室側加熱部として電熱ヒータを設けた電気式のコンロ、いわゆるＩＨコンロとして構成される場合とがある。
【０００３】
かかるコンロの従来例として、加熱部の運転に関する情報を表示画面に表示する表示部が、天板の手前側の中央箇所に設けられたものがある（例えば、特許文献１参照）。
特許文献１においては、運転状態等を表示部に表示すると記載されているだけで、表示部に表示する具体内容については詳細な説明が省略されている。
【先行技術文献】
【特許文献】
【０００４】
【特許文献１】特開２００２‐３５２９４４号公報
【発明の概要】
【発明が解決しようとする課題】
【０００５】
コンロにおいては、加熱部を加熱作動させながら行う複数の調理メニュー、つまり、加熱部に対して設定する複数の調理メニューを表示部の表示画面に表示させるようにしながら、調理メニューを選択できるようにして、調理メニューの選択を良好に行えるようにすることが望まれる。
【０００６】
すなわち、近年では、多数の調理メニューを選択できるようにすることが望まれるものであり、そのような多数の調理メニューを選択させる場合には、調理メニューを表示部の表示画面に表示させるようにしながら、調理メニューを選択できるようにすることが望まれる。
【０００７】
また、調理メニューを選択できるようにするにあたり、例えば、ハンバーグステーキにおいても、マスタードソースとデミグラスソースとを区別して選択できるようにする等、調理メニューを細分化しながら選択できるようにすることが望まれる。
【０００８】
本発明は、上記実状に鑑みて為されたものであって、その目的は、表示部の表示画面を用いて調理メニューを良好に選択させることができ、しかも、調理メニューを細分化しながら選択させることができ、さらには、文字にて表示する調理メニューが長くなっても適切に読み取らせることができるコンロを提供する点にある。
【課題を解決するための手段】
【０００９】
本発明のコンロは、被加熱物を加熱する加熱部と、前記加熱部の運転に関する情報を表示画面に表示する表示部とが設けられ、
前記加熱部として、天板の上部に載置される被加熱物を加熱する天板側加熱部と、前記天板の下方に設けた加熱室に収納された被加熱物を加熱する加熱室側加熱部とのうち少なくとも前記天板側加熱部が備えられたものであって、その特徴構成は、
前記加熱部に対して設定する調理メニューが、主単位部分と付加単位部分とを文字にて表す形態に設定され、
前記表示部を制御する表示制御部が、
前記表示画面において区画形成した調理メニュー用表示領域に、前記調理メニューを表示し、かつ、前記調理メニューが前記調理メニュー用表示領域に収まらない場合には、前記主単位部分を固定表示した状態で、前記付加単位部分を文字並び方向に移動させる形態で前記調理メニューをスクロール表示するように構成され、
前記加熱部の運転を制御する加熱制御部が、前記表示部に表示されている前記調理メニューが選択されると、当該選択された調理メニューに応じた加熱条件で加熱調理を実行するように構成されている点にある。 
【００１０】
すなわち、調理メニューの選択のために、表示部における表示画面の調理メニュー表示領域にて調理メニューを表示するのであり、そして、表示されている調理メニューが選択されると、該調理メニューに応じて定めた加熱条件で加熱調理を実行させるのである。
つまり、表示部の表示画面の調理メニュー表示領域にて調理メニューを表示しながら、選択された調理メニューの加熱調理を行うことができるのである。
【００１１】
しかも、調理メニューが、主単位部分と付加単位部分とに文字にて表す形態に設定されているから、例えば、ハンバーグステーキにおいて、マスタードソースとデミグラスソースとを区別して表示するにあたり、ハンバーグステーキを主単位部分とし、マスタードソースやデミグラスソースを付加単位部分として表示する等、調理メニューを細分化して表示しながら選択させることができる。
【００１２】
さらには、調理メニューが調理メニュー用表示領域に収まらない場合には、文字並び方向に移動させる形態で調理メニューをスクロール表示するように構成されているから、調理メニューが調理メニュー用表示領域に収まらないほどに長くなっても、調理メニューの内容を適切に読み取らせることができる。
【００１３】
つまり、調理メニューを、主単位部分と付加単位部分とによって、細分化して分かり易く表すようにする結果、調理メニューが長くなり、調理メニューが調理メニュー用表示領域に収まらなくても、スクロール表示によって、調理メニューの内容を適切に読み取らせる、換言すれば、把握させることができるのである。
【００１４】
要するに、本発明の特徴構成によれば、表示部の表示画面を用いて調理メニューを良好に選択させることができ、しかも、調理メニューを細分化しながら選択させることができ、さらには、文字にて表示する調理メニューが長くなっても適切に読み取らせることができる。
また、調理メニューをスクロール表示するにあたり、主単位部分を固定表示した状態で、付加単位部分をスクロール表示するものであるから、スクロール表示中においても、主単位部分が固定表示されるため、主単位部分にて調理メニューの概要を把握しながら、調理メニューの詳細を把握することができるため、調理メニューの把握を良好に行い易い。
例えば、調理メニューが、「ハンバーグステーキのマスタードソース」である場合には、主単位部分である「ハンバーグステーキ」が固定表示され、付加単位部分である「マスタードソース」がスクロール表示されるため、調理メニューが、固定表示されている「ハンバーグステーキ」に関するものであることを把握しながら、調理形態が、スクロール表示されている「マスタードソース」であることを把握することができることになる。
要するに、本発明のコンロの更なる特徴構成によれば、調理メニューの概要を把握しながら、調理メニューを適切に選択することができる。
【００１５】
本発明のコンロの更なる特徴構成は、前記主単位部分が、調理基本形態を表し、前記付加単位部分が、前記調理基本形態に付加するオプション形態を表すものである点にある。
【００１６】
すなわち、調理メニューが、調理基本形態を表す主単位部分と、調理基本形態に付加するオプション形態を表す付加単位部分とによって表されるから、調理メニューを選択するに当たり、先ず、調理基本形態を選択し、次に、オプション形態を選択する手順にて調理メニューを選択することができるため、調理メニューの選択を行い易い。
【００１７】
説明を加えると、調理基本形態として、例えば、ハンバーグステーキを挙げることができ、調理基本形態に付加するオプション形態として、例えば、マスタードソースやデミグラスソースを挙げることができる。
したがって、調理メニューを選択するに当たり、先ず、調理基本形態としてのハンバーグステーキを選択し、次に、オプション形態として、マスタードソースとデミグラスソースとのいずれかを選択する手順にて調理メニューを選択することができるため、調理メニューの選択を行い易いものとなる。
【００１８】
要するに本発明のコンロの更なる特徴構成によれば、調理メニューの選択を、調理基本形態を選択しながら良好に行える。
【００１９】
本発明のコンロの更なる特徴構成は、前記主単位部分が、調理用の基本材料を表し、前記付加単位部分が、調理形態を表すものである点にある。
【００２０】
すなわち、調理メニューが、調理用の基本材料を表す主単位部分と、調理形態を表す付加単位部分とによって表されるから、調理メニューを選択するに当たり、先ず、調理用の基本材料を選択し、次に、調理形態を選択する手順にて調理メニューを選択することができるため、調理メニューの選択を行い易い。
【００２１】
説明を加えると、調理用の基本材料として、例えば、ペンネを挙げることができ、調理形態として、例えば、たっぷり野菜のトマトソースやチキンのホワイトソースを挙げることができる。
したがって、調理メニューを選択するに当たり、先ず、調理用の基本材料としてのペンネを選択し、次に、調理形態として、たっぷり野菜のトマトソースとチキンのホワイトソースとのいずれかを選択する手順にて調理メニューを選択することができるため、調理メニューの選択を行い易いものとなる。
【００２２】
要するに本発明のコンロの更なる特徴構成によれば、調理メニューの選択を、調理用の基本材料を選択しながら良好に行える。
【００２７】
本発明のコンロの更なる特徴構成は、前記表示制御部が、前記調理メニュー用表示領域に収まらない前記調理メニューについて、前記主単位部分の全体を表示し且つ前記付加単位部分の一部を表示する初期表示状態とする形態で、前記調理メニューの複数を並列させて表示し、かつ、並列表示する複数の前記調理メニューのうちの一つが選択されたときに、選択された当該調理メニューが前記調理メニュー用表示領域に収まらない場合には、文字並び方向に移動させる形態で前記調理メニューをスクロール表示するように構成されている点にある。
【００２８】
すなわち、複数の調理メニューが並列する状態で表示されるから、複数の調理メニューを比較しながら調理メニューを選択することができるのであり、しかも、調理メニュー用表示領域に収まらない調理メニューについては、主単位部分の全体を表示し且つ付加単位部分の一部を表示する初期表示状態とする形態で表示されるから、調理メニュー用表示領域に収まらない調理メニューについても、調理メニューの概要を把握しながら、調理メニューを選択することができるのである。
【００２９】
そして、調理メニュー用表示領域に収まらない調理メニューについて、その詳細を確認する場合には、その調理メニューを選択することによって、文字並び方向に移動させる形態で調理メニューがスクロール表示されるため、調理メニュー用表示領域に収まらない調理メニューについても、その詳細を適切に把握することができるのである。
【００３０】
要するに、本発明のコンロの更なる特徴構成によれば、調理メニュー用表示領域に収まらない調理メニューについても、その概要を把握しながら、複数の調理メニューを比較して調理メニューを選択することができ、しかも、調理メニュー用表示領域に収まらない調理メニューについても、その詳細を適切に把握することができる。
【００３１】
本発明のコンロの更なる特徴構成によれば、前記表示制御部が、選択された前記調理メニューをスクロール表示しているときに、別の前記調理メニューが選択された場合には、スクロール表示している前記調理メニューを前記初期表示状態で表示するように構成されている点にある。
【００３２】
すなわち、スクロール表示中の調理メニューが、他の調理メニューが選択されることによって、スクロールを停止した後においては、主単位部分の全体を表示し且つ付加単位部分の一部を表示する初期表示状態で表示されることになる。
【００３３】
このように、スクロール表示後においては、主単位部分の全体を表示し且つ付加単位部分の一部を表示する初期表示状態で表示されることになるから、主単位部分の全体が表示されるため、スクロール表示後においても、調理メニューの概要を適切に把握できる。
【００３４】
要するに、本発明のコンロの更なる特徴構成によれば、スクロール表示後においても、調理メニューの概要を適切に把握できる。
【００３５】
本発明のコンロの更なる特徴構成は、前記表示制御部が、前記調理メニューをスクロール表示するスクロール速度を、速度変更指令に基づいて変更するように構成されている点にある。
【００３６】
すなわち、調理メニューをスクロール表示するスクロール速度を変更できるから、使用者の好みに応じたスクロール速度に設定することにより、使用勝手の向上を図ることができる。
【００３７】
要するに、本発明のコンロの更なる特徴構成によれば、使用勝手の向上を図ることができる。
【００３８】
本発明のコンロの更なる特徴構成によれば、前記表示部が、前記天板の手前側箇所に設けられている点にある。
【００３９】
すなわち、天板の手前側箇所は、使用者が見やすい位置であるから、この天板の手前側箇所に表示部を設けることによって、表示部に表示された調理メニューを見ながら、調理メニューの選択を良好に行うことができる。
【００４０】
そして、天板の上部には、天板側加熱部にて加熱する調理容器等の被加熱物が載置されるため、天板の手前側箇所に設ける表示部の表示画面が小さくなるが、スクロール表示することによって、調理メニューを適切に表示することができるのである。
【００４１】
要するに、本発明のコンロの更なる特徴構成によれば、調理メニューを使用者が見やすい位置に表示することによって、調理メニューの選択を良好に行うことができ、しかも、表示部の表示画面が小さくても、スクロール表示によって、調理メニューを適切に表示することができる。
【図面の簡単な説明】
【００４２】
【図１】ガスコンロの斜視図
【図２】ガスコンロの斜視図
【図３】燃料ガス供給構成を示す回路図
【図４】グリルの縦断側面図
【図５】コンロ用設定操作部の平面図
【図６】グリル用設定操作部の平面図
【図７】制御構成を示すブロック図
【図８】表示制御部の制御作動を示すフローチャート
【図９】初期画面を示す図
【図１０】プレートパン選択画面を示す図
【図１１】分類メニュー選択画面を示す図
【図１２】分類メニュー選択画面を示す図
【図１３】分類メニュー選択画面を示す図
【図１４】分類メニュー選択画面を示す図
【図１５】調理メニュー選択画面を示す図
【図１６】調理メニュー選択画面を示す図
【図１７】調理メニュー選択画面を示す図
【図１８】調理メニュー選択画面を示す図
【図１９】調理メニュー選択画面を示す図
【図２０】火力調節画面を示す図
【図２１】火力調節画面を示す図
【図２２】火力調節画面を示す図
【図２３】加熱時間調節画面を示す図
【図２４】加熱時間調節画面を示す図
【図２５】加熱時間調節画面を示す図
【図２６】点火誘導画面を示す図
【図２７】点火誘導画面を示す図
【図２８】点火誘導画面を示す図
【図２９】調理中画面を示す図
【図３０】調理中画面を示す図
【図３１】調理中画面を示す図
【図３２】調理中画面を示す図
【図３３】調理終了画面を示す図
【図３４】調理終了画面を示す図
【図３５】コンロ側設定画面を示す図
【図３６】コンロ側設定画面を示す図
【図３７】コンロ側設定画面を示す図
【図３８】第２実施形態の調理メニュー選択画面を示す図
【図３９】第３実施形態の分類メニュー選択画面を示す図
【図４０】第３実施形態の調理メニュー選択画面を示す図
【発明を実施するための形態】
【００４３】
〔第１実施形態〕
以下、本発明の実施形態を図面に基づいて説明する。
（ガスコンロの全体構成）
図１及び図２に示すように、コンロの一例としてのガスコンロＧＣが、コンロ本体Ｈの上面部に、コンロバーナ１として、標準火力バーナ１Ａ、小火力バーナ１Ｂ及び大火力バーナ１Ｃを備え、且つ、コンロ本体Ｈの横幅方向中央部に、グリルＧ（図４参照）を備える形態に構成されている。
【００４４】
コンロ本体Ｈは、上部が開口された箱状の金属製のケーシング２を主要部として構成され、コンロ本体Ｈの上部には、ガラス製の天板３が配置され、コンロ本体Ｈの上面部の後部側には、グリルＧの燃焼排ガスを排気するためのグリル排気口４が形成されている。
【００４５】
天板３の上部には、コンロバーナ１にて加熱される鍋等の被加熱物を載置するための五徳５が、３つのコンロバーナ１の夫々に対応して設けられている。
コンロバーナ１の中央部には、鍋等の被加熱物の存在及び被加熱物の底壁温度を検出するコンロバーナセンサ１Ｓが設けられている。
【００４６】
ケーシング２の内部には、図４に示すように、グリルＧを構成するグリル庫６が、加熱室として設けられ、グリル庫６には、グリルバーナ７として、グリル庫６の天井部に設けられる上部バーナ７Ｕとグリル庫６の底部に設けられる下部バーナ７Ｓとが設けられている。
【００４７】
ちなみに、本実施形態においては、コンロバーナ１及びグリルバーナ７が、被加熱物を加熱する加熱部Ｕを構成し、そして、コンロバーナ１が、天板３の上部に載置される被加熱物を加熱する天板側加熱部として機能し、グリルバーナ７が、天板３の下方に設けたグリル庫６に収納された被加熱物を加熱する加熱室側加熱部として機能することになる。
【００４８】
図１及び図２に示すように、天板３の手前側の左右中央箇所には、加熱部Ｕの運転に関する情報を表示画面に表示する液晶式の表示部Ｄが設けられている。ちなみに、本実施形態では、表示部Ｄが白黒式で表示するように構成されているが、カラー表示式に構成してもよい。
【００４９】
（グリルの詳細）
図４に示すように、グリルＧには、上述したグリル庫６が設けられている。このグリル庫６は、前部及び後部が開口する筒状に形成され、グリル庫６の後方側には、グリルバーナ７の燃焼排ガスや被加熱物からでる水蒸気等の調理排気を排気する排気路Ｅを形成する排気筒６Ａが上方側に延びる状態で連設され、その排気路Ｅにて調理排気を上述のグリル排気口４に導くように構成されている。
【００５０】
被加熱物を加熱調理するための調理容器Ｋを支持し且つグリル扉８（図１参照）を前端部に備えた調理容器支持枠Ｌが、グリル庫６に対して出退自在に設けられている。
本実施形態においては、調理容器Ｋとして、被加熱部の載置面が平坦状に形成されたプレートパン９（図４参照）、被加熱部の載置面が波型に形成された波型プレートパン（図１０参照）、及び、蓋装着式調理容器としてのキャセロール容器（図１４参照）の３種類が存在するものとする。
そして、プレートパン９、波型プレートパン、及び、キャセロール容器が、調理容器支持枠Ｌに対して、付け替え自在に装着されることになる。
【００５１】
グリル庫６の底部に設けた下部バーナ７Ｓが、グリル庫６内に収納された調理容器Ｋを下方から加熱し、グリル庫６の天井部に設けた上部バーナ７Ｕが、グリル庫６内に収納された調理容器Ｋを上方から加熱するように構成されている。
【００５２】
下部バーナ７Ｓは、図４に示すように、円筒状のバーナ本体部１０Ａと、そのバーナ本体部１０Ａに接続されるバーナ混合管部１０Ｂとを備え、バーナ本体部１０Ａには、周方向に沿って炎孔Ｆが形成されている。つまり、下部バーナ７Ｓは、炎孔Ｆを環状に備える形態に構成されている。
ちなみに、このような構成の下部バーナ７Ｓは、コンロバーナ１の構成と同様であり、コンロバーナ１を転用して構成されている。
尚、下部バーナ７Ｓの内部には、調理容器Ｋの温度を検出する温度検出センサとして、調理容器Ｋの底壁温度を検出する容器温度検出センサ１１が装備されている。
【００５３】
上部バーナ７Ｕは、下向きの平板状の火炎を形成する輻射式バーナであり、詳細な説明は省略するが、平板状の上バーナ本体部やその上バーナ本体部に接続される上バーナ混合管部を備え、上バーナ本体部の下面部に燃焼炎形成部が形成されている。
【００５４】
尚、図３に示すように、下部バーナ７Ｓ及び上部バーナ７Ｕの夫々に対して、点火装置としての点火プラグＰ、及び、着火状態検出装置として、熱電対等を用いて構成される着火センサＲが装備され、コンロバーナ１についても、同様に、点火プラグＰ及び着火センサＲが装備されている。
【００５５】
（ガス燃料の供給構成）
図３に示すように、都市ガス供給管等のガス供給源に接続される元ガス供給路１２に、電磁操作式の元ガス弁１３が設けられ、元ガス供給路１２からは、標準火力バーナ用分岐路１４ａ、小火力バーナ用分岐路１４ｂ、大火力バーナ用分岐路１４ｃ及びグリルバーナ用分岐路１５の４系統のガス流路が分岐されている。
【００５６】
グリルバーナ用分岐路１５に、下部バーナ７Ｓ及び上部バーナ７Ｕに対するガス燃料の供給圧力を設定圧に調整するガバナ１６が設けられ、ガバナ１６にて設定圧に調整されたガス燃料を下部バーナ７Ｓに導く下部バーナ用供給路１７Ｓ、及び、ガバナ１６にて設定圧に調整されたガス燃料を上部バーナ７Ｕに導く上部バーナ用供給路１７Ｕが、グリルバーナ用分岐路１５から分岐されている。
【００５７】
標準火力バーナ用分岐路１４ａ、小火力バーナ用分岐路１４ｂ及び大火力バーナ用分岐路１４ｃの夫々には、ステッピングモータの駆動によって燃料ガスの流量を調整して加熱量（火力）を調整するためのコンロ用ガス量調整弁１８が備えられている。
また、下部バーナ用供給路１７Ｓ及び上部バーナ用供給路１７Ｕの夫々には、ステッピングモータの駆動によって燃料ガスの流量を調整して加熱量（火力）を調整するためのグリル用ガス量調整弁１９が備えられている。
【００５８】
（ガスコンロの操作構成）
図１及び図２に示すように、コンロ本体Ｈの前側面におけるグリルＧの右側の上方箇所には、標準火力バーナ１Ａ、小火力バーナ１Ｂ及び大火力バーナ１Ｃの夫々に対して各別に点火及び消火や火力調節を指令するための３つのコンロ操作具２０が設けられている。
コンロ操作具２０は、押し操作されるごとに、点火指令と消火指令を交互に指令し、また、回転操作することにより、火力調節指令を指令するように構成されている。
【００５９】
コンロ本体Ｈの前側面におけるグリルＧの右側の下方箇所には、コンロバーナ１による自動調理の設定を行うコンロバーナ用設定操作部２１が、下端側を支点にした前後揺動により開閉自在に設けられている。
コンロバーナ用設定操作部２１の上面部には、標準火力バーナ１Ａ、小火力バーナ１Ｂ及び大火力バーナ１Ｃの夫々に対する設定を行うコンロ用操作パネル２１Ｐが設けられている（図５参照）。
尚、図５においては、標準火力バーナ１Ａを左コンロ、小火力バーナ１Ｂを後コンロ、及び、大火力バーナ１Ｃを右コンロと夫々表記している。
【００６０】
コンロ本体Ｈの前側面におけるグリルＧの左側の下方箇所には、グリルバーナ７に対する設定を行うグリル用設定操作部２２が、下端側を支点にした前後揺動により開閉自在に設けられている。
グリル用設定操作部２２の上面部には、調理メニューの選択や、その調理メニューを開始するための点火指令、火力調節指令、加熱時間調節指令等の種々の情報を指令するグリル用操作パネル２２Ｐが設けられている（図６参照）。
尚、図６においては、グリルをマルチグリルと表記している。
【００６１】
（コンロ用操作パネルの詳細）
図５に示すように、コンロ用操作パネル２１Ｐには、標準火力バーナ１Ａに対応する左コンロ操作部２１Ｌ、小火力バーナ１Ｂに対応する後コンロ操作部２１Ｍ、及び、大火力バーナ１Ｃに対応する右コンロ操作部２１Ｒを備えている。
【００６２】
左コンロ操作部２１Ｌには、あぶり高温炒めモードを指令するあぶり高温炒めスイッチ２３、湯沸しモードを指令する湯沸しスイッチ２４、温度キープモードを指令する温度キープスイッチ２５、タイマー運転モードを設定するタイマースイッチ２６、及び、設定を取り消す取消スイッチ２７が備えられている。
【００６３】
右コンロ操作部２１Ｒは、左コンロ操作部２１Ｌと同様に構成されるものであって、高温炒めスイッチ２３、湯沸しスイッチ２４、温度キープスイッチ２５、タイマースイッチ２６、及び、取消スイッチ２７が備えられている。
尚、あぶり高温炒めモード、湯沸しモード、温度キープモード、及び、タイマー運転モードの夫々は、周知であるので、本実施形態においては詳細な説明を省略する。
【００６４】
後コンロ操作部２１Ｍには、左コンロ操作部２１Ｌと同様に、タイマースイッチ２６、及び、取消スイッチ２７が備えられ、加えて、炊飯モードを指令する炊飯スイッチ２８が備えられている。
【００６５】
コンロ用操作パネル２１Ｐを用いて、温度キープモード、湯沸しモード、及び、炊飯モードが設定されると、図３５〜図３７に示すように、その設定されたモードを示す情報が表示部Ｄに示されることになり、また、図示は省略するが、あぶり高温炒めモード及びタイマー運転モードについても同様である。
【００６６】
また、炊飯モードにおいて、炊飯が終了すると、図１０に示すように、「炊けました」と表示部Ｄに表示されて、炊飯の終了を報知することが行われることになる。
尚、図示は省略するが、温度キープモード、湯沸しモード、あぶり高温炒めモード及びタイマー運転モードについても、同様である。
【００６７】
（グリル用操作パネルの詳細）
図６に示すように、グリル用操作パネル２２Ｐには、プレートパン９を選択するプレートパンスイッチ３０、キャセロール容器を選択するキャセロールスイッチ３１、選択スイッチ３２、決定スイッチ３３、及び、押し操作する毎にグリルバーナ７の点火を指令する点火指令状態と消火を指令する消火指令状態とに切り換わる点消火スイッチ３４が備えられている。
【００６８】
加えて、グリル用操作パネル２２Ｐには、以前選択した調理メニューの履歴を読み出す履歴スイッチ３５、設定途中においてもとに戻すための戻るスイッチ３６、設定内容を取り消すとりけしスイッチ３７、初期設定されている種々の内容を変更する際に使用する設定変更スイッチ３８が設けられている。
【００６９】
そして、後述の如く、表示部Ｄにて調理メニューを設定するための各種の情報を表示しながら、グリル用操作パネル２２Ｐの操作により、上述の如く、調理メニューの選択や、その調理メニューを開始するための点火指令、火力調節指令、加熱時間調節指令等の種々の情報を指令するように構成されている。
【００７０】
（調理メニューの詳細）
グリルバーナ７に対して設定する複数の調理メニューが、複数の分類メニューに振り分ける形態に設定されている。また、調理メニューが使用する調理容器Ｋに応じて分類されている。
つまり、調理容器Ｋに応じて分類されている調理メニューが、複数の分類メニューに振り分ける形態に設定されている。
さらに、複数の調理メニューについての加熱条件が、グリルバーナ７の火力と、加熱調理を実行する加熱時間として設定されている。
【００７１】
＜プレートパン＞
プレートパン９についての分類メニューとして、図１１〜図１３に示すように、「オートメニュー」「調理モード」「おすすめメニュー」「冷凍食品メニュー」の４つが設けられている。
プレートパン９の「オートメニュー」としては、図１５及び図１６に示すように、「トースト」「鶏もも焼き」「ホイル焼き」「魚：切り身」「魚：姿焼き」が設定されている。
【００７２】
また、プレートパン９の「調理モード」としては、図１７に示すように、「焼く」「あたためる」「ノンフライ」が設定されている。
【００７３】
また、プレートパン９の「おすすめメニュー」としては、図示は省略するが、「あじの開き」「フライドポテト」「ローストビーフ」等の種々の調理メニューがあり、加えて、図１８に示すように、「ハンバーグステーキ  マスタードソース」「ハンバーグステーキ  デミグラスソース」「ハンバーグステーキ  トマトソース」「ハンバーグステーキ  和風」がある。
【００７４】
このような「ハンバーグステーキ」に関する調理メニューは、主単位部分と付加単位部分とを文字にて表す形態に設定される調理メニューに相当するものであって、主単位部分が、調理基本形態としての「ハンバーグステーキ」を表し、付加単位部分が、調理基本形態に付加するオプション形態である「マスタードソース」「デミグラスソース」「トマトソース」「和風」を表すものである。
【００７５】
また、プレートパン９の「冷凍食品メニュー」についても、詳細な説明は省略するが、種々の調理メニューが設定されている。
【００７６】
プレートパン９についての分類メニューとしての「オートメニュー」「調理モード」「おすすめメニュー」「冷凍食品メニュー」に振り分けられた調理メニューについては、調理メニューに応じた加熱条件として、火力（加熱の強さ）及び加熱時間のデフォルト値が設定されている。
そして、「オートメニュー」に属する調理メニューについては、加熱時間を調整することはできないものの、火力を変更調整することができ、「調理モード」に属する調理メニューについては、加熱時間並びに火力を変更調整することができ、「おすすめメニュー」及び「冷凍食品メニュー」に属する調理メニューについては、火力を調整することはできないものの、加熱時間を変更調整できるように設定されている。
【００７７】
＜波型プレートパン＞
波型プレートパンについての分類メニューとしては、図示は省略するが、「オートメニュー」「調理モード」「おすすめメニュー」の３つが設けられている。
波型プレートパンの「オートメニュー」は、プレートパン９の「オートメニュー」と同じ調理メニュー、つまり、「トースト」「鶏もも焼き」「ホイル焼き」「魚：切り身」「魚：姿焼き」が設定されている。
【００７８】
また、波型プレートパンの「調理モード」としては、例えば、「焼く」が設定されている。
また、波型プレートパンの「おすすめメニュー」としては、例えば、「あじの開き」が設定され、加えて、プレートパン９と同様に「ハンバーグステーキ」に関する調理メニューが設定されている。
【００７９】
波型プレートパンの分類メニューとしての「オートメニュー」「調理モード」「おすすめメニュー」に振り分けられた調理メニューの夫々については、調理メニューに応じた加熱条件として、火力（加熱の強さ）及び加熱時間のデフォルト値が設定されている。
そして、「オートメニュー」に属する調理メニューについては、加熱時間を調整することはできないものの、火力を変更調整することができ、「調理モード」に属する調理メニューについては、加熱時間並びに火力を変更調整することができ、「おすすめメニュー」に属する調理メニューについては、火力を調整することはできないものの、加熱時間を変更調整できるように設定されている。
【００８０】
ちなみに、プレートパン９の調理メニューと波型プレートパンの調理メニューとには同じ調理メニューが存在するが、それらの調理メニューの火力及び加熱時間のデフォルト値は、プレートパン９と波型プレートパンとの熱伝達の違い等を鑑みて、プレートパン９や波型プレートパンに応じた適正値が設定されることになる。
【００８１】
＜キャセロール容器＞
キャセロール容器についての分類メニューとしては、図１４に示すように、「オートメニュー」「調理モード」「おすすめメニュー」の３つが設けられている。
キャセロール容器の「オートメニュー」は、図示は省略するが、「ごはん」「もっちりごはん」「炊きこみごはん」が設定されている。
【００８２】
また、キャセロール容器の「調理モード」としては、図１９に示すように、「煮る」「蒸す」「パン」が設定されている。
また、キャセロール容器の「おすすめメニュー」としては、図示は省略するが、「かれいの煮つけ」「筑前煮」「チーズケーキ」「茶碗蒸し」等が設定されている。
【００８３】
キャセロール容器の分類メニューとしての「オートメニュー」「調理モード」「おすすめメニュー」に振り分けられた調理メニューの夫々については、調理メニューに応じた加熱条件として、火力（加熱の強さ）及び加熱時間のデフォルト値が設定されている。
そして、「オートメニュー」に属する調理メニューは、加熱時間及び火力を調整することはできないが、「調理モード」及び「おすすめメニュー」に属する調理メニューについては、火力を調整することはできないものの、加熱時間を変更調整できるように設定されている。
【００８４】
（ガスコンロの制御構成）
図７に示すように、表示部Ｄの表示作動を制御する表示制御部ＢＤ、及び、加熱部Ｕの運転を制御する加熱制御部ＢＵが設けられている。
尚、図７においては、加熱部Ｕとしてのグリルバーナ７及びグリル用ガス量調整弁１９を示し、コンロバーナ１及びコンロ用ガス量調整弁１８の記載を省略する。
【００８５】
そして、加熱制御部ＢＵが、コンロ操作具２０による点火指令や消火指令によって、コンロバーナ１に対する点火処理や消火処理及び火力調節処理を行い、また、コンロバーナ用設定操作部２１の設定情報に基づいて、上述の如く、あぶり高温炒めモード、湯沸しモード、温度キープモード、タイマー運転モード、及び、炊飯モードを実行するように構成されている。
【００８６】
また、加熱制御部ＢＵが、グリル用設定操作部２２の設定情報に基づいて、グリルバーナ７に対する点火処理や消火処理及び火力調節処理を行ないながら、複数の調理メニューのうちの選択された調理メニューを実行するように構成されている。
（加熱制御部の制御について）
加熱制御部ＢＵは、マイクロコンピュータを備える形態に構成されて、コンロバーナ１及びグリルバーナ７に対する運転（燃焼）を制御するものであるが、コンロバーナ１に対する燃焼制御とグリルバーナ７に対する燃焼制御は同様であるから、以下の説明においては、グリルバーナ７に対する燃焼制御を説明して、コンロバーナ１に対する燃焼制御は省略する。
【００８７】
加熱制御部ＢＵは、図７に示すように、上述したグリル用設定操作部２２からの指令情報に基づいて、下部バーナ７Ｓ及び上部バーナ７Ｕに対する燃焼を制御するものである。
すなわち、後述の如く、表示部Ｄに表示されている調理メニューが選択されたのち、点消火スイッチ３４の操作により点火指令が指令されると、元ガス弁１３、グリル用ガス量調整弁１９を操作して、下部バーナ７Ｓ及び上部バーナ７Ｕに燃料ガスを供給する状態とし、加えて、下部バーナ７Ｓ及び上部バーナ７Ｕに対する点火プラグＰを作動させかつ着火センサＲにて着火を検出する点火処理を実行することになる。
【００８８】
また、調理メニューの加熱調理を中断する等の目的により、点消火スイッチ３４の操作により消火指令が指令されると、元ガス弁１３、グリル用ガス量調整弁１９を閉状態に操作して、下部バーナ７Ｓ及び上部バーナ７Ｕを消火する消火処理を実行することになる。
【００８９】
また、下部バーナ７Ｓ及び上部バーナ７Ｕの燃焼状態において、下部バーナ７Ｓに対するグリル用ガス量調整弁１９及び上部バーナ７Ｕに対するグリル用ガス量調整弁１９を操作して、下部バーナ７Ｓ及び上部バーナ７Ｕの火力を、調理メニューごとに設定された火力に変更調節する火力調節処理を実行することになる。
【００９０】
また、調理メニューを実行しているときに、加熱調理を開始してからの経過時間が設定されている調理用の加熱時間に達すると、上述した消火処理を実行して、下部バーナ７Ｓ及び上部バーナ７Ｕを自動的に消火することになる。
【００９１】
つまり、加熱制御部ＢＵが、後述の如く、表示部Ｄに表示されている調理メニューが選択されると、当該選択された調理メニューに応じた加熱条件で加熱調理を実行し、そして、加熱調理を開始してからの経過時間が設定されている加熱時間に達すると、消火処理を実行して、加熱調理を終了するように構成されている。
【００９２】
（表示制御部の制御について）
表示制御部ＢＤが、図９及び図１１に示すように、コンロバーナ１に対する天板側表示領域Ａ１とグリルバーナ７に対するグリル側表示領域Ａ７とを、コンロバーナ１とグリルバーナ７との配置形態に対応する形態で、表示部Ｄの表示画面に区画形成するように構成されている。
本実施形態においては、上下方向を前後方向に置き換えて、表示部Ｄの表示画面の奥側に天板側表示領域Ａ１を形成し、表示部Ｄの表示画面の手前側にグリル側表示領域Ａ７を形成するように構成されている。
【００９３】
また、表示制御部ＢＤが、グリル用設定操作部２２にて調理メニューの設定が指令されていない初期画面では、図９に示すように、天板側表示領域Ａ１の前後幅を、グリル側表示領域Ａ７の前後幅よりも大きし、これに対して、グリル用設定操作部２２にて調理メニューの設定の開始が指令されたときには、図１０、図１１、図１３等に示すように、グリル側表示領域Ａ７の前後幅を、天板側表示領域Ａ１の前後幅よりも大きくするように構成されている。
【００９４】
つまり、グリル用設定操作部２２にて調理メニューの設定が指令された後においては、表示部Ｄの表示画面が、図１０に示す「プレートパン選択画面」、図１１等に示す「分類メニュー選択画面」、図１５等に示す「調理メニュー選択画面」、図２０等に示す「火力調節画面」、図２３等に示す「加熱時間調節画面」、図２６等に示す「点火誘導画面」、図２９等に示す「調理中画面」、及び、図３３等に示す「調理終了画面」に順次変更されることになるが、いずれの画面においても、グリル側表示領域Ａ７の前後幅を、天板側表示領域Ａ１の前後幅よりも大きくするように構成されている。
【００９５】
さらに、天板側表示領域Ａ１が、図９及び図１１等に示すように、標準火力バーナ１Ａ、小火力バーナ１Ｂ及び大火力バーナ１Ｃの夫々の配置に対応して、標準火力バーナ１Ａに対応する左側領域部分Ａａ、小火力バーナ１Ｂに対応する中央側領域部分Ａｂ、及び、大火力バーナ１Ｃに対応する右側領域部分Ａｃに区画されている。
【００９６】
表示制御部ＢＤが、図１１及び図１５等に示す「分類メニュー選択画面」及び「調理メニュー選択画面」において、グリル側表示領域Ａ７に、複数の分類メニューの全てを並列させて表示しかつ当該複数の分類メニューのうちの選択された一つの分類メニューに割り当てられた複数の調理メニューを並列させて表示する形態で、複数の分類メニューと前記複数の調理メニューとを表示するように構成されている。
【００９７】
具体的には、図１１〜図１９に示すように、グリル側表示領域Ａ７が、矩形状に形成され、複数の分類メニューをグリル側表示領域Ａ７の左側の一辺（縦辺）に沿って並べ、且つ、当該複数の分類メニューのうちの選択された一つの分類メニューに割り当てられた複数の調理メニューを、複数の分類メニューの表示箇所の側脇にタブ表示する状態で、複数の分類メニューと複数の調理メニューとを表示するように構成されている。
【００９８】
また、複数の分類メニューのうちの選択された一つの分類メニューと他の分類メニューとを視認できるように表示状態を異ならせる形態で、前記複数の分類メニューを表示するように構成されている。
本実施形態においては、「分類メニュー選択画面」においては、図１１〜図１４に示すように、選択された分類メニューを、背景が黒の白抜き文字で表示し、他の分類メニューを、背景が白の黒色文字で表示するように構成されている。
また、「調理メニュー選択画面」においては、図１５〜図１９に示すように、選択された分類メニューを、背景が白の黒色文字で表示し、他の分類メニューを、背景が灰色の黒色文字で表示するように構成されている。
【００９９】
ちなみに、本実施形態においては、図１５等に示すように、「調理メニュー選択画面」においては、選択された調理メニューを、背景が黒の白抜き文字で表示し、他の分類メニューを、背景が白の黒色文字で表示するように構成されている。
また、本実施形態においては、図１０に示すように、「プレートパン選択画面」において、プレートパン９と波型プレートパンとのうちの選択された一方を、背景が黒の白抜き文字で表示し、他方を背景が白の黒色文字で表示するように構成されている。
【０１００】
また、表示制御部ＢＤが、「調理メニュー選択画面」において、表示画面において区画形成した調理メニュー用表示領域に、調理メニューを表示し、かつ、調理メニューが調理メニュー用表示領域に収まらない場合には、図１８に示すように、文字並び方向に移動させる形態で調理メニューをスクロール表示するように構成されている。
ちなみに、本実施形態において、調理メニュー表示領域とは、分類メニューの表示領域の右端からグリル側表示領域Ａ７の右端までの長さに対応する領域であり、かつ、１つの調理メニューを文字にて一列に表示する上下幅に対応する領域である。
【０１０１】
つまり、「ハンバーグステーキ」に関する調理メニューのうちの、「ハンバーグステーキ  マスタードソース」「ハンバーグステーキ  デミグラスソース」「ハンバーグステーキ  トマトソース」は、分類メニューの表示領域の右端からグリル側表示領域Ａ７の右端までの長さに対応する領域に収まらないため、調理メニューの全体を、文字並び方向に移動させる形態で調理メニューをスクロール表示するように構成されている。
【０１０２】
また、本実施形態においては、調理メニュー用表示領域に収まらない調理メニューについて、主単位部分の全体を表示し且つ付加単位部分の一部を表示する初期表示状態とする形態で、調理メニューの複数を並列させて表示し、かつ、並列表示する複数のメニューのうちの一つが選択されたときに、選択された当該調理メニューが調理メニュー用表示領域に収まらない場合には、文字並び方向に移動させる形態で調理メニューをスクロール表示するように構成されている。
【０１０３】
つまり、例えば、「ハンバーグステーキ  マスタードソース」の場合には、図１８に示すように、主単位部分である「ハンバーグステーキ」の全体を表示し、付加単位部分である「マスタードソース」については、「マス」を表示する状態を初期表示状態として表示し、そして、「ハンバーグステーキ  マスタードソース」が選択されると、調理メニューの全体（例えば、「ハンバーグステーキ  マスタードソース」の全体）を、文字並び方向に移動させる形態で調理メニューをスクロール表示するように構成されている。
詳細な説明を省略するが、「ハンバーグステーキ  デミグラスソース」及び「ハンバーグステーキ  トマトソース」についても同様である。
【０１０４】
また、表示制御部ＢＤが、選択された前記調理メニューをスクロール表示しているときに、別の前記調理メニューが選択された場合には、スクロール表示している調理メニューを初期表示状態で表示するように構成されている。
つまり、例えば、選択された「ハンバーグステーキ  マスタードソース」をスクロール表示しているときに、「ハンバーグステーキ  デミグラスソース」等の別の調理メニューが選択されると、「ハンバーグステーキ  マスタードソース」を初期状態で表示するように構成されている。
【０１０５】
また、表示制御部ＢＤが、調理メニューをスクロール表示するスクロール速度を、速度変更指令に基づいて変更するように構成されている。
つまり、図示は省略するが、設定変更スイッチ３８の操作により、スクロール速度変更を表示する画面を選択し、選択スイッチ３２にてスクロール速度を選択し、決定スイッチ３３を操作することにより、速度変更指令が指令されて、スクロール速度を変更できるように構成されている。
【０１０６】
ちなみに、本実施形態においては、上述の説明から明らかなように、表示制御部ＢＤが、複数種の調理容器Ｋの一つを選択する容器選択情報に基づいて、選択された分類メニューに割り当てられた複数の調理メニューのうちの、選択された種類の調理容器Ｋに対応する調理メニューを表示し、かつ、表示する調理メニューに対応づけて選択された種類の調理容器Ｋを併せて表示するように構成されている。
【０１０７】
すなわち、本実施形態においては、プレートパンスイッチ３０が操作された場合には、図１０に示す「プレートパン選択画面」により、プレートパン９と波型プレートパンとのいずれかを選択し、キャセロールスイッチ３１が操作された場合には、キャセロール容器が選択されたものとする。
そして、それらの調理容器Ｋが選択されると、図１１〜図１９等に示すように、選択された種類の調理容器Ｋに対応する調理メニューを表示し、表示する調理メニューに対応づけて選択された種類の調理容器Ｋを図形（模式図）にて表示するように構成されている。
【０１０８】
（表示制御部の詳細）
表示制御部ＢＤが実行する制御作動について、図８に示すフローチャートに基づいて説明を加える。
先ず、容器入力があったか否か、つまり、プレートパンスイッチ３０やキャセロールスイッチ３１が操作されたか否かを判別し（＃１）、容器入力があった場合には、プレートパンスイッチ３０が操作されたか否かを判別する（＃２）。尚、キャセロールスイッチ３１が操作された場合には、使用する調理容器Ｋをキャセロール容器に決定する。
【０１０９】
＃２の処理にて、プレートパンスイッチ３０が操作されたと判別した場合には、図１０に示す如く、「プレートパン選択画面」を表示し（＃３）、次に、「プレートパン選択画面」の表示状態において、選択スイッチ３２にて、プレートパン９と波型プレートパンとのいずれかを選択して、決定スイッチ３３を操作すると、選択入力があったと判別する（＃４）。
尚、プレートパン９と波型プレートパンとのうちの選択されたものを、使用する調理容器Ｋに決定する。
【０１１０】
使用する調理容器Ｋを決定すると、図１１〜図１４に示す如く、「分類メニュー選択画面」を表示し（＃５）、次に、「分類メニュー選択画面」の表示状態において、選択スイッチ３２にて、分類メニューのいずれかを選択して、決定スイッチ３３を操作すると、分類メニューの選択が完了したと判別する（＃６）。
【０１１１】
分類メニューの選択が完了すると、図１５〜図１９に示す如く、「調理メニュー選択画面」を表示し（＃７）、次に、「調理メニュー選択画面」の表示状態において、選択スイッチ３２にて、調理メニューのいずれかを選択して、決定スイッチ３３を操作すると、調理メニューの選択が完了したと判別する（＃８）。
ちなみに、「調理メニュー選択画面」を表示する状態においては、上述の如く、スクロール表示が行われることになる。
【０１１２】
調理メニューの選択が完了すると、選択された調理メニューが火力調節を行える調理メニューであるか否かを判別し（＃９）、火力調節を行える調理メニューである場合には、図２０〜図２２に示す如く、「火力調節画面」を表示する（＃１０）。
次に、「火力調節画面」の表示状態において、選択スイッチ３２を操作することなく、決定スイッチ３３を操作する、あるいは、選択スイッチ３２にて、火力を変更して、決定スイッチ３３を操作すると、火力調節が完了したと判別する（＃１１）。
【０１１３】
＃９の処理にて、選択された調理メニューが火力調節を行えない調理メニューであると判別した場合や、火力調節が完了すると、選択された調理メニューが加熱時間の調節を行える調理メニューであるか否かを判別し（＃１２）、加熱時間の調節を行える調理メニューである場合には、図２３〜図２５に示す如く、「加熱時間調節画面」を表示する（＃１３）。
次に、「加熱時間調節画面」の表示状態において、選択スイッチ３２を操作することなく、決定スイッチ３３を操作する、あるいは、選択スイッチ３２にて、加熱時間を変更して、決定スイッチ３３を操作すると、加熱時間の調節が完了したと判別する（＃１４）。
【０１１４】
＃１２の処理にて、選択された調理メニューが加熱時間調節を行えない調理メニューであると判別した場合や、加熱時間の調節が完了すると、図２６〜図２８に示す如く、「点火誘導画面」を表示する（＃１５）。
【０１１５】
次に、「点火誘導画面」の表示状態において、点消火スイッチ３４の操作に基づいて、点火処理が行われると、図２９〜図３２に示す如く、「調理中画面」を表示し（＃１７）、その後、調理用の加熱時間が経過して加熱調理が終了すると、図３３及び図３４に示すように、「調理終了画面」を表示する（＃１９）。
そして、「調理終了画面」を表示してからの時間が設定時間（例えば、３０秒）を経過すると（＃２０）、「初期画面」（図９参照）を表示し（＃２１）、その後、＃１の処理に移行することになる。
【０１１６】
〔第２実施形態〕
次に、第２実施形態を説明するが、この第２実施形態は、表示部Ｄの表示形態の別実施形態を示すものであって、その他の構成は第１実施形態と同様であるので、第１実施形態と異なる部分についてのみ説明して、第１実施形態と同様な構成については、第１実施形態と同じ符号を付して、詳細な説明を省略する。
【０１１７】
この第２実施形態においては、図３８に示すように、プレートパン９の「おすすめメニュー」として、「ハンバーグ  マスタードソース」「ハンバーグ  デミグラスソース」「ハンバーグ  トマトソース」「ハンバーグステーキ  和風」が設定されている。
【０１１８】
このような「ハンバーグ」に関する調理メニューは、主単位部分と付加単位部分とを文字にて表す形態に設定される調理メニューに相当するものであって、主単位部分が、調理基本形態としての「ハンバーグ」を表し、付加単位部分が、調理基本形態に付加するオプション形態である「マスタードソース」「デミグラスソース」「トマトソース」を表すものである。
【０１１９】
この第２実施形態においても、第１実施形態と同様に、調理メニュー用表示領域に収まらない調理メニューについて、主単位部分の全体を表示し且つ付加単位部分の一部を表示する初期表示状態とする形態で、調理メニューの複数を並列させて表示し、かつ、並列表示する複数のメニューのうちの一つが選択されたときに、選択された当該調理メニューが調理メニュー用表示領域に収まらない場合には、文字並び方向に移動させる形態で前記調理メニューをスクロール表示するように構成されている。
【０１２０】
そして、スクロール表示するにあたり、主単位部分を固定表示した状態で、付加単位部分を文字並び方向に移動させる形態で調理メニューをスクロール表示するように構成されている。
例えば、「ハンバーグ  マスタードソース」の場合には、主単位部分である「ハンバーグ」の全体を表示し、付加単位部分である「マスタードソース」については、「マスタードソ」を表示する状態を初期表示状態として表示し、そして、「ハンバーグ  マスタードソース」が選択されると、「ハンバーグ」を固定表示した状態で、「マスタードソース」をスクロール表示するように構成されている。
詳細な説明を省略するが、「ハンバーグステーキ  デミグラスソース」及び「ハンバーグステーキ  トマトソース」についても同様である。
【０１２１】
〔第３実施形態〕
次に、第３実施形態を説明するが、この第３実施形態は、表示部Ｄの表示形態の別実施形態を示すものであって、その他の構成は第１実施形態と同様であるので、第１実施形態と異なる部分についてのみ説明して、第１実施形態と同様な構成については、第１実施形態と同じ符号を付して、詳細な説明を省略する。
【０１２２】
この第３実施形態においては、図３９に示すように、プレートパン９の「おすすめメニュー」として、「たっぷり野菜のトマトソース  ペンネ」「チキンのホワイトソース  ペンネ」が設定されている。
【０１２３】
このような「ペンネ」に関する調理メニューは、主単位部分と付加単位部分とを文字にて表す形態に設定される調理メニューに相当するものであって、主単位部分が、調理用の基本材料としての「ペンネ」を表し、付加単位部分が、調理形態として「たっぷり野菜のトマトソース」「チキンのホワイトソース」を表すものである。
【０１２４】
この第３実施形態においても、第１実施形態と同様に、調理メニュー用表示領域に収まらない調理メニューについて、主単位部分の全体を表示し且つ付加単位部分の一部を表示する初期表示状態とする形態で、調理メニューの複数を並列させて表示し、かつ、並列表示する複数のメニューのうちの一つが選択されたときに、選択された当該調理メニューが調理メニュー用表示領域に収まらない場合には、文字並び方向に移動させる形態で調理メニューをスクロール表示するように構成されている。
【０１２５】
この第３実施形態においては、調理メニュー用表示領域の左側部分に、付加単位部分の一部を表示し、調理メニュー用表示領域の右側部分に、主単位部分の全体を表示するように構成されている。
そして、スクロール表示するにあたり、主単位部分を固定表示した状態で、付加単位部分を文字並び方向に移動させる形態で調理メニューをスクロール表示するように構成されている。
【０１２６】
例えば、「たっぷり野菜のトマトソース  ペンネ」の場合には、図４０に示すように、主単位部分である「ペンネ」の全体を表示し、付加単位部分である「たっぷり野菜のトマトソース」については、「たっぷり野菜の」を表示する状態を初期表示状態として表示し、そして、「たっぷり野菜のトマトソース  ペンネ」が選択されると、「ペンネ」を固定表示した状態で、「たっぷり野菜のトマトソース」をスクロール表示するように構成されている。
詳細な説明を省略するが、「チキンのホワイトソース  ペンネ」も同様である。
【０１２７】
〔別実施形態〕
次に、別実施形態を列記する。
（１）上記第１〜第３実施形態では、調理容器Ｋとして、プレートパン９、波型プレートパン、及び、キャセロール容器を例示したが、調理容器Ｋとしては、各種のものを使用できる。
【０１２８】
（２）上記第１〜第３実施形態では、表示部Ｄが、天板３の手前側箇所に設けられる場合を例示したが、表示部Ｄをコンロ本体Ｈの前面部に設けるようにする等、表示部Ｄの設置位置は種々変更できる。
【０１２９】
（３）上記第１〜第３実施形態では、グリル用操作パネル２２Ｐを用いながら調理メニューを選択操作するように構成する場合を例示したが、表示部Ｄをタッチパネル式に構成して、表示部Ｄの表示面のタッチ操作によって調理メニューを選択操作できるように構成してもよく、さらには、音声入力装置を用いた音声入力にて、調理メニューを選択操作できるように構成してもよい。
【０１３０】
（４）上記第１〜第３実施形態では、複数の分類メニューのうちの選択された一つの分類メニューと他の分類メニューとを視認できるように表示状態を異ならせる形態で、前記複数の分類メニューを表示するにあたり、選択された分類メニューを、背景が黒の白抜き文字で表示し、他の分類メニューを、背景が白の黒色文字で表示するようにしたが、選択された分類メニューを点滅表示し、他の分類メニューを連続点灯表示する等、選択された一つの分類メニューと他の分類メニューとを視認できるように表示状態を異ならせる形態は、種々変更できる。
【０１３１】
（５）上記第１〜第３実施形態では、コンロとして、天板側加熱部としてコンロバーナ１を備え、グリル側加熱部としてグリルバーナ７を備えるガスコンロＧＣを例示したが、本発明は、天板側加熱部として誘導加熱式ヒータを備え且つグリル側加熱部として電熱ヒータを備える電気式のコンロ、いわゆるＩＨコンロにも適用できるものである。
【０１３２】
（６）上記第１〜第３実施形態では、加熱室側加熱部としてのグリルバーナ７に対して設定する調理メニューを選択させる場合を例示したが、天板側加熱部としてコンロバーナ１に対して調理メニューを設定する場合についても、本発明は適用できるものである。
【０１３３】
（７）上記第１〜第３実施形態では、グリル庫６を加熱室として、加熱調理としてグリル調理を行う場合を例示したが、加熱室を、オーブン調理用に構成して、加熱調理として、オーブン調理を行うように構成してもよい。
【０１３４】
（８）上記第１〜第３実施形態では、天板側加熱部とグリル側加熱部とを備えるコンロを例示したが、本発明は、天板側加熱部とグリル側加熱部とのうち、天板側加熱部のみを備えるコンロにも適用できるものである。つまり、天板側加熱部のみを備えるコンロにおいて、天板側加熱部に対して調理メニューを設定する場合について、本発明は適用できるものである。
【０１３５】
なお、上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【符号の説明】
【０１３６】
１      天板側加熱部
３      天板
６      グリル庫
７      グリル側加熱部
Ａ１    天板側表示領域
Ａ７    グリル側表示領域
ＢＤ    表示制御部
ＢＵ    加熱制御部
Ｄ      表示部
Ｋ      調理容器
Ｕ      加熱部
【図１】
0006707379.tif 000002
【図２】
0006707379.tif 000003
【図３】
0006707379.tif 000004
【図４】
0006707379.tif 000005
【図５】
0006707379.tif 000006
【図６】
0006707379.tif 000007
【図７】
0006707379.tif 000008
【図８】
0006707379.tif 000009
【図９】
0006707379.tif 000010
【図１０】
0006707379.tif 000011
【図１１】
0006707379.tif 000012
【図１２】
0006707379.tif 000013
【図１３】
0006707379.tif 000014
【図１４】
0006707379.tif 000015
【図１５】
0006707379.tif 000016
【図１６】
0006707379.tif 000017
【図１７】
0006707379.tif 000018
【図１８】
0006707379.tif 000019
【図１９】
0006707379.tif 000020
【図２０】
0006707379.tif 000021
【図２１】
0006707379.tif 000022
【図２２】
0006707379.tif 000023
【図２３】
0006707379.tif 000024
【図２４】
0006707379.tif 000025
【図２５】
0006707379.tif 000026
【図２６】
0006707379.tif 000027
【図２７】
0006707379.tif 000028
【図２８】
0006707379.tif 000029
【図２９】
0006707379.tif 000030
【図３０】
0006707379.tif 000031
【図３１】
0006707379.tif 000032
【図３２】
0006707379.tif 000033
【図３３】
0006707379.tif 000034
【図３４】
0006707379.tif 000035
【図３５】
0006707379.tif 000036
【図３６】
0006707379.tif 000037
【図３７】
0006707379.tif 000038
【図３８】
0006707379.tif 000039
【図３９】
0006707379.tif 000040
【図４０】
0006707379.tif 000041